(57)【特許請求の範囲】
【請求項１】
吸気部、排気部、及び前記吸気部から前記排気部の間に形成される流路内に紫外線光源を備え、
前記流路の側面にロールツーロールでフィルターを取り付けることができるフィルター送り出し部１（１）及びフィルター巻取り部１（２）が配置され、
前記流路方向においてフィルター送り出し部１（１）とフィルター巻取り部１（２）との間に移動部（５）が配置され、前記移動部（５）は、フィルター送り出し部１（１）とフィルター巻取り部１（２）とに保持されるフィルターの一部位を保持しながら、前記流路を横切って対向する前記流路側面の間を移動でき、
前記移動部の移動のための移動手段を備え、
フィルター送り出し部１（１）とフィルター巻取り部１（２）とに保持されるフィルターは、前記流路の一側面に沿って配置される部位１、前記流路を密閉する部位１、前記一側面に対向する前記流路側面に沿って前記移動部に保持される部位、前記流路を密閉する部位２、及び前記一側面に沿って配置される部位２を連続的に有する状態１と、前記一側面に沿って配置される部位１´、前記一側面に沿って前記移動部に保持される部位、及び前記一側面に沿って配置される部位２´を連続的に有する状態２とを、前記移動部の前記移動により可逆的に有することができ、かつ
前記紫外線光源は、前記状態１において前記の２つの前記流路を密閉する部位と前記吸気部との間にある
空気清浄機。
【請求項２】
前記流路上においてフィルター送り出し部１（１）及びフィルター巻取り部１（２）と前記排気部との間に、別のフィルターを配置することができる請求項１に記載の空気清浄機。
【請求項３】
前記の別のフィルターとして抗体フィルターが配置されている請求項２に記載の空気清浄機。
【請求項４】
フィルター送り出し部１（１）及びフィルター巻取り部１（２）と前記排気部との間にある前記流路の側面にフィルター送り出し部２（３）及びフィルター巻取り部２（４）が互いに対向して配置され、
フィルター送り出し部２（３）とフィルター巻取り部２（４）とに保持されるフィルターと前記排気部との間に風量センサが配置され、
該センサ部の信号に基づいて前記移動手段の駆動を制御する駆動制御部を備え、
該センサ部の信号又は前記移動手段の駆動に基づいてフィルター巻取り部２（４）の駆動を制御する駆動制御部を備えている請求項１に記載の空気清浄機。
【請求項５】
前記のフィルター送り出し部２（３）とフィルター巻取り部２（４）とに抗体フィルターが保持されている請求項４に記載の空気清浄機。
【請求項６】
フィルター送り出し部１（１）とフィルター巻取り部１（２）とに光触媒フィルターが保持されている請求項１〜５のいずれか一項に記載の空気清浄機。
【発明の詳細な説明】
【技術分野】
【０００１】
本発明は、空気清浄機に関する。より詳しくは、本発明は、フィルターを通過させることにより空気を浄化する空気清浄機であって、フィルター交換頻度を下げることが可能であるとともに、特に使用済みのフィルターに付着した雑菌を、効率よく殺菌することができる空気清浄装置に関する。
【背景技術】
【０００２】
フィルターを通過させることにより空気を浄化する空気清浄機においては、性能の維持のためにフィルターの掃除、殺菌が重要である。特に、フィルターの掃除や交換の際に、フィルターに捕集されて増殖した雑菌が周囲へ飛散し、不衛生な状態になり易い。この問題の解決のために、従来から紫外線の殺菌作用の利用が検討されている。
【０００３】
特許文献１においては、光触媒フィルター部と、抗菌フィルター部と、殺菌灯からなることを特徴とする空気清浄装置が開示されている。しかし特許文献１に記載の装置においては、フィルターの殺菌用に紫外線が常時照射されることになるため、空気浄化のためにフィルターに含有させる物質として紫外線で劣化し易い物質を用いることができない。
特許文献２においては、フィルターユニットの実際の汚れ具合に的確に対応したフィルター交換サインの出力が得られるようにする技術が開示されている。しかしこの技術はフィルター交換頻度を下げるためには役にたたない。
特許文献３においては、フィルターをロールツーロール方式にして、フィルターの交換回数を削減することが可能な空気清浄機が開示されている。
【特許文献１】特開2003-102815号公報
【特許文献２】特開平9-225251号公報
【特許文献３】特開2004-57932号公報
【発明の開示】
【発明が解決しようとする課題】
【０００４】
本発明の目的は、フィルター交換頻度を下げることが可能であるとともに、特に使用済みのフィルターに付着した雑菌を、効率よく殺菌することができる空気清浄装置を提供することである。
【課題を解決するための手段】
【０００５】
本発明者らは上記課題の解決のために鋭意研究を行い、ロールツーロール方式で取り付けられるフィルターを利用して紫外線照射を調節することを着想し、この着想をもとに本発明を完成するに至った。
本発明は下記［１］〜［６］を提供するものである。
【０００６】
［１］吸気部、排気部、及び前記吸気部から前記排気部の間に形成される流路内に紫外線光源を備え、
前記流路の側面にフィルター送り出し部１及びフィルター巻取り部１が配置され、
前記流路方向においてフィルター送り出し部１とフィルター巻取り部１との間に移動部が配置され、
前記移動部を移動する手段を備え、
フィルター送り出し部１とフィルター巻取り部１とに保持されているフィルターは、前記流路の側面に沿って配置される部位、前記流路を密閉する部位、前記移動部に保持される部位、前記流路を密閉する部位、及び前記流路の側面に沿って配置される部位を連続的に有する状態１と、前記流路の側面に沿って配置される部位、前記移動部に保持される部位、及び前記流路の側面に沿って配置される部位を連続的に有する状態２とを、前記移動部の移動により可逆的に有し、かつ
前記紫外線光源は、前記状態１において前記の２つの前記流路を密閉する部位と前記吸気部との間にある
空気清浄機。
【０００７】
［２］前記流路上において前記フィルターと前記排気部との間に、別のフィルターが配置された［１］に記載の空気清浄機。
［３］前記の別のフィルターが抗体フィルターである［２］に記載の空気清浄機。
［４］前記フィルターと前記排気部との間にある前記流路の側面にフィルター送り出し部２及びフィルター巻取り部２が互いに対向して配置され、
フィルター送り出し部２とフィルター巻取り部２とに保持されているフィルターと前記排気部との間に風量センサが配置され、
該センサ部の信号に基づいて前記移動手段の駆動を制御する駆動制御部を備え、
該センサ部の信号又は前記移動手段の駆動に基づいてフィルター巻取り部２の駆動を制御する駆動制御部を備えている［１］に記載の空気清浄機。
［５］前記のフィルター送り出し部２とフィルター巻取り部２とに保持されているフィルターが抗体フィルターである［４］に記載の空気清浄機。
［６］フィルター送り出し部１とフィルター巻取り部１とに保持されているフィルターが光触媒フィルターである［１］〜［５］のいずれか一項に記載の空気清浄機。
【発明の効果】
【０００８】
本発明により、フィルター交換頻度を下げることが可能であるとともに、特に使用済みのフィルターに付着した雑菌を、効率よく殺菌することができる空気清浄装置が提供される。
【発明を実施するための最良の形態】
【０００９】
本発明の空気清浄機の形状は特に限定されず、略長方体形状、略立方体形状、略円柱形状などが挙げられる。フィルター送り出し部とフィルター巻取り部とに保持されているフィルターを有効利用するために、略長方体形状又は略立方体形状であることが好ましい。空気清浄機は、内部に所定の空間を有し、該空間に後述の吸気部から排気部へと通過する空気の流路が形成される。なお本明細書においてフィルター送り出し部及びフィルター巻取り部につき言及する場合は、特に限定しない限りフィルター送り出し部１及びフィルター巻取り部１、並びにフィルター送り出し部２及びフィルター巻取り部２の双方を意味するものとする。
【００１０】
本発明の空気清浄機は吸気部及び排気部を備える。吸気部は空気清浄機内部に空気を取り込む部分であり、形状及び個数は特に限定されない。また、排気部は、空気清浄機外部に空気を送り出す部分であり、形状及び個数は特に限定されない。例えば、略長方体形状または略立方体形状の空気清浄機である場合、相対する２つの側面にそれぞれ吸気部および排気部を設ければよい。同様に、略円柱形状の場合は、円形状の相対する側面にそれぞれ吸気部および排気部を設ければよい。さらに、同一の側面の上部（又は右端部など）と下部（又は左端部など）に、吸気部および排気部を別々に設けることもできる。
なお、本明細書において、流路に対して吸気部側を上流側、排気部側を下流側という場合がある。
【００１１】
空気清浄機が、吸気部において空気清浄機内部に空気を取り込み、および排気部において空気清浄機外部に空気を送り出すようにする機構は特に限定されない。例えば、一定の空気の流れがある場所に空気清浄機を設置したり、気圧が異なる２つの部屋の境界に空気清浄機を設置したりしてもよい。また、例えば、吸気部から排気部の間に空気の流路を形成する手段として、空気清浄機が送風部を備えていてもよい。送風部としては、給気機能を有する送風部を用いてもよく、排気機能を有する送風部を用いてもよく、両方を用いてもよい。給気機能を有する送風部は上流側、排気機能を有する送風部は下流側に設ければよい。例えば排気機能を有する送風部を用いる場合、空気清浄機駆動時には、送風部が流路内部の空気を下流側の排気部から送り出すことで、上流側の吸気部から取り込んだ空気を下流側の排気部から送り出すといった空気の流路が形成される。排気機能を有する送風部の例としては、軸流ファンやプロペラファン、シロッコファンなどが挙げられる。シロッコファンは、円筒状の回転体の円周面に複数の小型の翼が設けられた構成を有し、小型化、軽量化に適し、また、駆動時に発生する音が小さいという利点がある。
【００１２】
本発明の空気清浄機においては前記吸気部から前記排気部の間に形成される流路の側面にフィルター送り出し部１及びフィルター巻取り部１が配置される。フィルター送り出し部１及びフィルター巻取り部１は、フィルター送り出し部とフィルター巻取り部とに保持されているフィルターが、前記流路の側面に沿って配置される部位、前記流路を密閉する部位、後述の移動部に保持される部位、前記流路を密閉する部位、及び前記流路の側面に沿って配置される部位を連続的に有する状態１と、前記流路の側面に沿って配置される部位、移動部に保持される部位、及び前記流路の側面に沿って配置される部位を連続的に有する状態２とを、前記移動部の移動により可逆的に有し、かつ紫外線光源が前記状態１において前記の２つの前記流路を密閉する部位と吸気部との間にあることができるように配置されている限り、流路に対して、同一側の側面に配置されていても互いに反対側の側面に配置されていてもよいが、互いに反対側の側面に配置されていることが好ましい。なお、本明細書において「流路の側面に配置される」とは空気清浄機の外部（空気清浄機本体の外側）側面に配置されていることおよび、空気清浄機の内部（空気清浄機本体の内側、流路内）に配置されていることを含むが、空気清浄機の外部に配置されていることが好ましい。また、フィルター送り出し部１及びフィルター巻取り部１の流路方向における順序は特に限定されず、吸気部、フィルター送り出し部１、フィルター巻取り部１、排気部の順となっていてもよく、吸気部、フィルター巻取り部１、フィルター送り出し部１、排気部の順となっていてもよいが、吸気部、フィルター巻取り部１、フィルター送り出し部１、排気部の順となっていることが好ましい。
【００１３】
前記流路方向において前記フィルター送り出し部１と前記フィルター巻取り部１との間には少なくとも１つの移動部が配置される。移動部は、該フィルター送り出し部とフィルター巻取り部とに保持されているフィルターを保持し、フィルターを保持しながら、前記流路を横切って対向する流路側面の間を移動手段によって移動する。移動部に保持されているフィルターの部位はフィルターの送り出し又は巻き取りによって変化してよい。
【００１４】
移動部は、空気清浄機本体内壁（流路内）に接するように設置され、下記移動手段によって反対側壁まで移動する構造が好ましい。移動部はフィルターが内部を通れるように中空となった直方体の板状の形状を有し、ロールツーロールで設置されているフィルターが中空部を貫通していればよい。移動部は貫通しているフィルター部全体を覆う構造となっていることが好ましい。移動部は、流路内に設置されるため、空気の流れに影響がないように、なるべく薄いことが好ましい。長さ、幅は、使用するフィルター種、および、フィルター配置法によりそれぞれ異なり、特に限定されない。移動部本体の素材は、プラスチック製であっても、金属製であってもよい。移動手段としてはアーム駆動方式、カム駆動方式等の手段が挙げられる。移動前と移動後で流路の密閉を保つため、本体と接する端部分はゴムなどで覆われパッキングされる構造が好ましい。また、移動部の移動を容易にするために、本体に溝を設置してもよい。移動部と接している本体部、または、移動部にローラー等を設置することもできる。移動部と移動手段とは一体となっていてもよい。
移動部は１個でもよく、２個以上でもよい。
【００１５】
移動部の移動によって、フィルターの前記流路を密閉する部位を２枚単位で増減させることが可能である。この増減するフィルターによって上流側にある紫外線光源からの紫外線照射の下流側への影響を調節することが可能である。
【００１６】
該フィルター送り出し部１とフィルター巻取り部１とに保持されているフィルターが長い状態（例えば図１）から短い状態（例えば図２）となる場合には、該フィルターはフィルター巻取り部１で巻き取られればよい。また、該フィルター送り出し部１とフィルター巻取り部１とに保持されているフィルターが短い状態（例えば図１）から長い状態（例えば図２）となる場合にはフィルター送り出し部１からフィルターが送りだされればよい。このような巻き取りや送り出しは自動であることが好ましい。
【００１７】
フィルター送り出し部とフィルター巻取り部とに保持されているフィルターが、上記の所定の配置を取ることができるように、フィルターが流路を密閉する部位の流路側面や、移動部の両端には、フィルターのガイドが配置されていてもよい。ガイドとしてはゴムーローラー、スポンジローラー、樹脂ローラーなどを用いることができる。
【００１８】
なお本明細書において密閉とは、吸気部から取り込まれた空気の全てが通過して排気部へと向かう状態を意味し、具体的にはフィルターと空気清浄機本体が密着して両者の間に視覚的に確認できるよう隙間を生じせしめないことを意味する。すなわち、本明細書において密閉とは、所謂、気密を意味するものではなく、フィルターには気体が通過しうるものとする。
【００１９】
好ましい態様として本発明の空気清浄機は、フィルター送り出し部１とフィルター巻取り部１とに保持されているフィルター以外に、さらに該フィルターと排気部との間に１又は２以上の別のフィルターを有していてもよい。別のフィルターは取りはずし可能であることが好ましい。また、別のフィルターは流路を密閉するために流路の断面積と略等しい面積を有することが好ましい。さらに、フィルター面が流路を流れる空気の流れに対して垂直になるように配置されることが好ましい。
この別のフィルターの交換前に、前記移動手段を用いて前記状態２とすることによって、使用済みの別のフィルターの殺菌が可能である。
【００２０】
フィルター送り出し部１とフィルター巻取り部１とに保持されているフィルターと排気部との間に配置される前記の別のフィルターは、前記フィルターと前記排気部との間にある前記流路の側面に互いに対向して配置されたフィルター送り出し部２及びフィルター巻取り部２に保持されているフィルターであることが好ましい。このような形態とすることによって、前記の別のフィルターの殺菌及び交換を自動で行うことが可能になる。
【００２１】
例えば、この状態でさらに該フィルターと排気部との間に風量センサを配置することができる。該センサにより検出される風量が所定の値以下になった場合に、前記移動手段に信号を送り、前記状態２となるように移動手段を制御することにより、前記フィルターの有害物質の捕捉度（フィルターの目詰まり具合）に応じて、紫外線により前記フィルターの使用済み部位の殺菌を行うことが可能である。該センサにより検出される風量についての前記の所定の値は送風部の送風強度に応じて設定してもよい。図３に制御系例のブロック図を示す。
さらに前記センサ部の信号又は前記移動手段の駆動に基づいてフィルター巻取り部２の駆動を制御して一定時間紫外線による殺菌を行った使用済みフィルター部位を巻き取ることにより、フィルター送り出し部２とフィルター巻取り部２とに保持されているフィルターの流路上の部位を自動的に更新させることができる。
【００２２】
フィルター送り出し部及びフィルター巻取り部に保持されているフィルターは、使用後は、巻き取られた形態で廃却すればよい。本発明の空気清浄機においては、雑菌を殺菌した後巻き取るため、使用済みフィルターが巻き取られた状態で保存されても菌の増殖がなく衛生的である。
なお、本発明の空気清浄機は、フィルター送り出し部１とフィルター巻取り部１とに保持されているフィルター及び、前記の別のフィルター以外にさらに別の１又は２以上の別のフィルターを有していてもよい。
【００２３】
フィルター送り出し部２とフィルター巻取り部２とを備えた本発明の好ましい態様の一例の概略図を図１及び２に示す。図１及び２は、同一の空気清浄機における移動部の移動前後を示す。図１及び２に示す空気清浄機においてはフィルター送り出し部１及びフィルター巻取り部１が互いに反対側の側面（空気清浄機の外部）に配置され、移動部の位置に係らずフィルター送り出し部１とフィルター巻取り部１とに保持されているフィルターは少なくとも１つの前記流路を密閉する部位を有している。例えば、通常時は図１に示すように用い（状態１）、フィルター送り出し部２とフィルター巻取り部２とに保持されるフィルターの殺菌を行う場合には該フィルターと紫外線光源との間にフィルターが存在しないように（状態２）、図２に示すように移動部を移動させればよい。
フィルター送り出し部とフィルター巻取り部とに保持されているフィルターは、通常、フィルター送り出し部においてロール状のフィルターとして取り付けられ、端部を引き出して、所定の位置を通過して、フィルター巻取り部で巻き取られるように空気清浄機本体に設置される。
【００２４】
フィルター送り出し部は、ガイドを経由してフィルター巻取り部に巻き取られればよい。送り出し部と巻取り部の間、または、巻取り部に駆動手段を設け、フィルターを引っ張る力により駆動させてもよい。フィルターの形状は平面状でもよく、プリーツ状としてもよい。プリーツ状の場合は、送り出し部は折りたためられた形状であるが、巻取り張力の調節により、ロール状に巻き取られてもよい。
【００２５】
フィルター送り出し部１とフィルター巻取り部１とに保持されているフィルターとしては、特に限定されないが、比較的大きなごみ及び塵を除去するプレフィルター機能を有するフィルターが好ましい。このフィルターは例えば、不織布などであればよい。この別のフィルターとしては不織布などに消臭剤、抗菌剤が担持されたフィルターや、光触媒が担持された光触媒フィルターを用いることも好ましい。フィルター送り出し部１とフィルター巻取り部１とに保持されているフィルターとして光触媒フィルターを用いた場合、光触媒により紫外線が吸収されるため、状態１において、下流側のフィルターに紫外線がより届きにくいという利点がある。
【００２６】
光触媒フィルターは、例えば不織布等のような多孔質の繊維層と、不活性チタン層と、不活性チタン層上に活性チタン層とを有するものであればよい。
光触媒としては、主に、酸化チタン（ＴｉＯ2）を主体として使用すればよい。この他光触媒としては、酸化亜鉛（ＺｎＯ）、酸化セリウム（Ｃｅ2Ｏ3）、酸化テルビウム（Ｔｂ2Ｏ3）、酸化マグネシウム（ＭｇＯ）、酸化エルピウム（Ｅｒ2Ｏ3）、タンタル酸カリウム（ＫＴａＯ3）、硫化カドミウム（ＣｄＳ）、セレン化カドミウム（ＣｄＳｅ）、および［Ｒｕ（ｂｐｙ）３］２＋やＣｏ錯体等を使用することもできる。なお、活性酸化チタンとしては、アナターゼ結晶の微粒子を用いることが望ましい。
光触媒フィルターの繊維層としては、目付けが100ｇ／ｍ2〜300ｇ／ｍ2のものであって、圧力損失が標準風速２．５ｍ／ｓでの初期圧力損失が、２０〜９０Ｐａのものを用いることが好ましい。
【００２７】
本発明の空気清浄機に設けられる紫外線光源によって、フィルター殺菌とともに、フィルター送り出し部１とフィルター巻取り部１とに保持されているフィルターとして光触媒フィルターが用いられる場合において光触媒フィルターの活性化が可能である。紫外線光源は、例えば光触媒が反応する波長である３００ｎｍ〜４２０ｎｍ程度の紫外線を発光するものであればよい。殺菌の観点からは、２５４ｎｍ程度の紫外線を発光するものも好ましい。紫外線光源としては、蛍光灯、ＬＥＤ（Light Emitting Diode）、またはその他の紫外線照射装置を用いることができる。
【００２８】
前記の別のフィルター又はフィルター送り出し部２とフィルター巻取り部２とに保持されているフィルターとしては、紫外線により劣化しやすいフィルターを用いることができる。このようなフィルターとしては特に限定されないが、例として、紫外線により化学変化を起こしやすい抗菌剤を担持した抗菌フィルターや、抗体を担持した担体からなる抗体フィルターなどが挙げられ、このうち、抗体フィルターが好ましい。
【００２９】
抗体フィルターにおける担体としては、特に限定されないが、繊維が好ましい。繊維としては、セルロースエステル、ビニロン、アクリル系、ポリウレタンのうち少なくとも１種類を主成分とする繊維が好ましい。また、ポリアミドを主成分とする繊維も好ましい。主成分とは、全繊維中の質量分率にして２５％以上を構成する成分であることを示す
【００３０】
セルロースエステルとは、セルロースの水酸基を有機酸でエステル化されているセルロース誘導体を指す。エステル化に用いる有機酸は、例えば酢酸・プロピオン酸・酪酸などの脂肪カルボン酸、安息香酸・サリチル酸などの芳香族カルボン酸などがある。単独もしくは併用したものであってもよい。セルロースの水酸基のエステル基置換率について特に制限はないが、６０％以上であることが好ましい。
【００３１】
抗体フィルターにおいて担体として用いられる繊維の群のなかでは、セルロースアシレート繊維が望ましい。セルロースアシレートは、セルロースの水酸基を構成する水素原子の一部または全部がアシル基で置換されているセルロースエステルを指す。アシル基としては、アセチル基、プロピオニル基、およびブチリル基など挙げられる。これらの基は1種のみが置換されて構成されていてもよいし、２種以上のアシル基が混合置換されていてもよい。アシル基置換度の総和は、好ましくは２．２〜３．０であり、より好ましくは２．２〜２．８であり、特に好ましくは２．２〜２．７である。なかでも、この置換度を満たすセルロースアセテート、セルロースアセテートプロピオネート、又はセルロースアセテートブチレートのいずれかであることが好ましく、セルロースアセテートであることが最も好ましい。一般にセルロースアシレートは、エステル化度によって溶剤が異なることが知られているが、あらかじめエステル化率の高いセルロースアシレートで担体を作製したのちに、アルカリ加水分解処理等を行って表面を親水化してもよい。
【００３２】
セルロースアシレート繊維のみでも十分に実用的な有害物質除去材料を形成することが可能であるが、強度や寸度安定性をさらに向上させる等の目的で、ポリエステル系繊維・ポリオレフィン系繊維・ポリアミド系繊維・アクリル系繊維等との混紡繊維により担体を形成してもよい。混紡繊維を用いる場合には、セルロースアシレート繊維の質量分率は５０％以上であることが望ましく、７０％以上であることがさらに望ましい。
【００３３】
抗体フィルターにおいて担体として用いられる繊維の群のなかでは、ポリアミド繊維であることも望ましい。
【００３４】
本明細書においてポリアミドとは、化学構造単位が主としてアミド結合で結合されている線状高分子からなる繊維を指す。
ポリアミドの中でも、エチレンジアミン、１−メチルエチレンジアミン、１，３−プロピレンジアミン、ヘキサメチレンジアミンなどの脂肪族ジアミンと、マロン酸、コハク酸、アジピン酸などの脂肪族ジカルボン酸との結合体である直鎖型脂肪族ポリアミドが好ましい。特に、ナイロン６６が好ましい。
【００３５】
前記のジアミンおよびジカルボン酸以外にも、ε−カプロラクタムやラウロラクタム等のラクタム類、アミノカプロン酸、アミノウンデカン酸等のアミノカルボン酸類、パラ−アミノメチル安息香酸等を単独または共重合成分として用いた脂肪族ポリアミドを用いることもできる。特に、ε−カプロラクタムの単独使用で製造されるナイロン６が好ましい。
【００３６】
これらの他に、原料の脂肪族ジアミンとして一部または全部をシクロヘキサンジアミン、１，３−ビス（アミノメチル）シクロヘキサン、１、４−ビス（アミノメチル）シクロヘキサンなどの脂環族ジアミンを用いた脂肪族ポリアミド、および／または、ジカルボン酸として一部または全部を１，４−シクロヘキサンジカルボン酸、ヘキサヒドロテレフタル酸、ヘキサヒドロイソフタル酸などの脂環式ジカルボン酸を用いた脂肪族ポリアミドであってもよい。
【００３７】
更に、脂肪族パラキシリレンジアミン（ＰＸＤＡ）やメタキシリレンジアミン（ＭＸＤＡ）などの芳香族ジアミン、テレフタル酸などの芳香族ジカルボン酸を部分的な原料として用いて、吸水性の低減や弾性率向上を実現したポリアミドも含まれる。また、ポリアクリル酸アミド、ポリ（Ｎ−メチルアクリル酸アミド）、ポリ（Ｎ，Ｎ−ジメチルアクリル酸アミド）などのような側鎖にアミド結合を有するポリマーであってもよい。
【００３８】
ポリアミドの中で最も望ましいのは、ナイロン６６またはナイロン６である。アミド結合に由来する適度な吸湿性、適度な長さの長鎖脂肪酸からなる分子鎖を繊維軸配向させやすく比較的延伸性が高いこと、融解熱が高く熱容量が大きいことから動力学的にも速度論的にも溶融しにくい（耐溶融性）、長鎖脂肪鎖からなる分子鎖の可とう性や、アミド結合間の水素結合形成のためにフィブリル化やキンクバンドが生じにくい性質、すなわち繰返し屈伸性など、担体として好ましい性能を活用することができるためである。
【００３９】
同様に強度や寸度安定性を向上させる目的で、担体を金属・高分子材料・セラミックス等の他の適切な構造材料により補強してもよい。これらの補強材は、有害物質除去材料を供給する側面の実質的な最表面以外の部分（例えば、該側面の反対面や芯材に用いる等）に用いることが望ましい。
【００４０】
本明細書において、ビニロンとは、ビニルアルコール単位を６５質量％以上含む線状高分子からなり、温度２０℃湿度６５％の環境に１週間以上放置した後の水分率が７％以下である繊維を指す。ビニルアルコールの水酸基をホルマール化したものであってもよいが、水酸基をホウ酸架橋したポリマーや、公知のアルカリ紡糸法や冷却ゲル紡糸法などの方法により耐水化処理が施された非ホルマール化繊維であってもよい。ビニルアルコール単位以外の成分としてはエチレン鎖、酢酸ビニル鎖などが含まれていてもよいが、ビニルアルコール担体から形成される繊維であることが好ましい。さらに、均質で高配向度・高結晶化度であるために、優れた機械的特性と信頼性が得られるという点で、冷却ゲル紡糸による非ホルマール化繊維であることが最も望ましい。
【００４１】
ビニロンは一般に、他の繊維に対して、高強度、高弾性率、適度な親水性、耐候性、耐薬品性、接着性などに優れており、担体としてこれらの好ましい性能を活用することができる。
【００４２】
本明細書において、アクリル系とは、アクリロニトリル基の繰返し単位が質量比で４０％以上含む繊維を指し、例えば、アクリロニトリルのホモポリマーや、アクリル酸エステル、メタクリル酸エステル、酢酸ビニルなどの非イオン性モノマーとアクリルニトリルのコポリマー、ビニルベンゼンするスルホン酸、アリルスルホン酸などのアニオン性モノマーとアクリロニトリルのコポリマー、あるいは、ビニルピリジン、メチルビニルピリジンなどのカチオン性モノマーとアクリロニトリルのコポリマーなどの例がある。アクリロニトリルとミルクカゼインのから形成されるいわゆるプロミックス繊維も本カテゴリーに包含される。
【００４３】
アクリル系の繊維は一般に、有機系湿式紡糸法で製造することが多い。この方法では、紡糸原液が凝固浴中で凝固糸を形成するときに、凝固剤である水がノズルより紡出される紡糸原液中に浸入する一方で、紡糸溶剤が紡出した原液から外部に拡散し、このとき、水と有機溶剤（ＤＭＦ、ＤＭＡｃなど）が相互拡散することで重合体が析出して無数の空洞が網目状につながった構造をもつ凝固糸条が形成される。また、凝固過程で溶剤が凝固浴中に拡散することによる体積収縮により形成される繊維断面の変形や表面のマクロフィブリル構造形成による凹凸形成が特徴である。これらの微細構造は本発明で使用する担体の構造としては、非表面積向上や抗体担持のし易さの点で好ましい。
【００４４】
本発明で用いるアクリル系繊維は、原料ポリマーの組成や紡糸法、製造工程内の後処理条件などにより変動するが、一般に、適度な親水性、耐候性が高い、かさ高い繊維が得られやすいという利点がある。
【００４５】
本発明で用いるポリウレタンは、単量体相互の結合部分または基本となる基材重合体相互の結合部分が主としてウレタン結合による線状合成高分子からなる繊維を指す。ポリウレタンセグメントを質量比で８５％以上含むことが望ましい。低融点で柔らかい分子量数千までのソフトセグメントと、剛直性で凝集力の高い高融点のハードセグメントからなるセグメント化ポリウレタンのブロック共重合であることが望ましい。ソフトセグメントとしては、ポリプロピレングリコール、ポリテトラメチレングリコールなどのポリエーテル、ハードセグメントとしては、４，４’−ジフェニルメタンジイソシアネート、m-キシレンジイソシアネートなどで形成されるウレタン基を用いることができる。ポリウレタンは一般に高い弾性を示すのが特徴で、両セグメントの化学構造や分布など高分子鎖の一時構造の違いや、製糸条件の違いなどからくる二次構造の違いによって異なるが、よく伸びる、伸縮回復力が高い、ゴム材料に比べて老化しにくい・細い繊維が得られるなどの特徴があり、担体として用いた場合にもこれらの性質を活用することができる。
【００４６】
また、本発明で用いる担体を構成する繊維の２０℃の水に対する体積膨潤度は１．１％以上１０％未満であり、好ましくは１．１％以上８％未満であり、特に好ましくは１．１％以上６％未満であり、最も好ましくは１．１％以上５％未満である。なお、本発明における２０℃の水に対する繊維の体積膨潤度とは、乾燥繊維を２０℃の純水に１時間浸漬する前後の繊維の密度を密度勾配管法（ＪＩＳ−Ｋ７１１２）にて求めた体積膨潤度をさす。
【００４７】
担体を構成する繊維の機械的物性ならびに寸法安定性については、乾燥時伸度が２５％以上であることが望ましい。ここで乾燥時伸度とは、十分に長い時間かけて乾燥した繊維の２０℃における引張試験における破断伸度をさす。一般に乾燥時伸度が１０％以上で製布等の加工に適することが、フィルター加工及び実用時の破壊（ろ過効率の低下につながる）を防止するには２５％以上であることが好ましく、３０％以上であることがより好ましく、３５％以上であることが最も好ましい。
【００４８】
担体を構成する繊維の公定水分率は、１．０％以上７．０％未満であることが好ましく、３．０％以上６．５％未満であることがより好ましく、５．０％以上６．５％未満であることが最も好ましい。本領域の公定水分率において、担持した抗体の活性の発現と、担体の機械的強度、剛性、環境（特に湿度）に対する寸法安定性が得られ、ひいてはフィルターとしての高い性能と信頼性を示すことができる。
【００４９】
なお、ここで言う水分率とは公定水分率のことであり、公定水分率とは繊維を２０℃、相対湿度６５％の環境下に長時間放置したときに繊維に含まれる水分率のことを指す。また、他の繊維との混紡繊維の場合にはその混紡繊維全体の公定水分率を指すものとする。
【００５０】
担体を構成する繊維の表面は、数十ナノメートルから数マイクロメートルスケールの微細な凹凸構造を有することが好ましい。凹凸の形状は、繊維方向と平行方向に形成された溝状あるいは筋状の立体形状であってもよいし、繊維方向と垂直すなわち軸に対して同心円状に形成された溝状あるいは筋状の立体形状であってもよく、これらの立体形状は繊維方向と平行方向から垂直方向迄の任意の角度で形成されたものが任意の比率、密度で存在してもよい。公知のセルロースアセテート繊維の紡糸法で得られる試料には、表層のスキン層形成と溶剤乾燥に伴うスキン層の陥没により、繊維断面が不定形の菊型を形成することが知られているが、この凹凸は本発明においても好ましい形態である。
【００５１】
ナノメートルからマイクロメートルスケールの微細な凹凸構造は、空孔状および／または突起状であってもよい。平均径にして５０ｎｍから１μｍの空孔または突起であることが望ましい。これらの空孔や突起は、例えば溶液のキャビテーションや微細分散質を分散させた溶液（例えば硫酸バリウム粒子を分散させたスラリーとの混合）を利用するなどの方法により紡糸工程で形成させたり、アシル基の加水分解や表面酸化処理など方法（例えばアルカリ水溶液により繊維表面をセルロース化したのち、酵素処理により繊維表面にミクロクレーターを発現させたりするなど）により後工程によって形成させたりすることができる。
【００５２】
抗体フィルターにおいて担体として用いられる繊維の平均繊維径は、５０μｍ以下であることが望ましく、１０μｍ以下であることがより好ましく、１μｍ以下であることが特に好ましく、１００ｎｍ以下であることが最も好ましい。なお、本明細書において平均繊維径は走査型電子顕微鏡（ＳＥＭ）の観察画像から任意の３００箇所における繊維中の直径を測定し、それを算術平均することによって求めた数値である。
【００５３】
抗体フィルターにおいて担体として用いられる繊維の作製法としては、溶融紡糸、湿式紡糸、乾式紡糸、湿乾式紡糸など一般的な製造法や、物理的処理（例えば超高圧ホモジナイザーによる強力な機械的せん断処理）によって繊維を微細化する方法などが挙げられるが、安定な品質を確保するためには、乾式紡糸もしくは湿乾式紡糸法を用いることが好ましい。平均繊維径が１００ｎｍ以下で均一な繊維を作製するためには、さらに加工技術、2005年、40巻、No.2、101頁、および167頁；Polymer International誌、1995年、36巻、195〜201頁；Polymer Preprints誌、2000年、41(2)号、1193頁；Journal of Macromolecular Science : Physics誌、1997年、B36、169頁などに開示されている電界紡糸法を採用することが好ましい。
【００５４】
紡糸に用いる溶媒としては、塩化メチレン、クロロホルム、ジクロロエタンなどの塩素系溶媒、ジメチルホルムアミド、ジメチルアセトアミド、Ｎ−メチルピロリドンなどのアミド系溶媒、アセトン、エチルメチルケトン、メチルイソプロピルケトン、シクロヘキサノンなどのケトン系溶媒、ＴＨＦ、ジエチルエーテルなどのエーテル系溶媒、メタノール、エタノール、イソプロパノールなどのアルコール系溶媒、水など、合成樹脂繊維に用いられる樹脂を溶解するものであれば何でも用いることができる。これらの溶媒は単独で用いてもよいし、複数種混合して用いてもよい。
【００５５】
電界紡糸法を採用する場合には樹脂溶液に、さらに塩化リチウム、臭化リチウム、塩化カリウム、塩化ナトリウムなどの塩を添加してもよい。
【００５６】
抗体フィルターの担体を構成する繊維同士は部分的に接着することにより三次元ネットワークを形成している構造をもつことが望ましい。かような構造をとることにより、加工ならびに実用上の機械的耐性の向上、ひいては有害物質除去材の信頼性をあげることができる。また抗体の保持特性を上げることができる。繊維同士の接着は
ＳＥＭ等の方法で観察することができる。繊維同士の接着点の密度は、該有害物質除去材の投影表面積に対して１ｍｍ角辺り１０箇所以上存在することが好ましく、１００箇所以上であることがより好ましい。
【００５７】
接着点を形成する方法としては、乾式紡糸法で形成される癒着や溶融紡糸法で形成される融着点で形成してもよいし、紡糸後に加熱や、接着剤・可塑化溶剤等の添加による接着点形成処理を行ってもよい。製造コストの観点では適切な溶液処方により乾式紡糸法で癒着点を形成させることが好ましい。
【００５８】
抗体フィルターに用いられる抗体は、特定の有害物質（抗原）に対して特異的に反応（抗原抗体反応）するタンパク質であり、分子サイズが７〜８ｎｍであって、Ｙ字状の分子形態を有する。抗体のＹ字状分子構造のうち、一対の枝部分をＦａｂ、幹部分をＦｃといい、これらのうち、Ｆａｂの部分で有害物質を捕捉する。
【００５９】
前記抗体の種類は、捕捉しうる有害物質の種類に対応する。抗体により捕捉される有害物質としては、例えば、細菌、カビ、ウイルス、アレルゲン及びマイコプラズマを挙げることができる。具体的には、細菌としては、例えば、グラム陽性菌であるブドウ球菌属（黄色ブドウ球菌や表皮ブドウ球菌）、ミクロコッカス菌、炭疽菌、セレウス菌、枯草菌、アクネ菌などや、グラム陰性菌である緑膿菌、セラチア菌、セパシア菌、肺炎球菌、レジオネラ菌、結核菌などを挙げることができる。カビとしては、例えば、アスペルギルス、ペニシリウス、クラドスポリウムなどを挙げることができる。ウイルスとしては、インフルエンザウイルス、コロナウイルス（ＳＡＲＳウイルス）、アデノウイルス、ライノウイルスなどを挙げることができる。アレルゲンとしては、花粉、ダニアレルゲン、ネコアレルゲンなどを挙げることができる。
【００６０】
前記抗体の製造方法としては、例えば、ヤギ、ウマ、ヒツジ、ウサギ等の動物に抗原を投与し、その血液からポリクローナル抗体を精製する方法、抗原を投与した動物の脾臓細胞と培養癌細胞とを細胞融合し、その培養液または融合細胞を植え込んだ動物の体液（腹水等）からモノクローナル抗体を精製する方法、抗体産生遺伝子を導入した遺伝子組み換え細菌、植物細胞、動物細胞の培養液から抗体を精製する方法、ニワトリに抗原を投与して免疫卵を産ませ、卵黄液を殺菌及び噴霧乾燥して得た卵黄粉末から鶏卵抗体を精製する方法を挙げることができる。これらのうちでも、鶏卵から抗体を得る方法は、容易にかつ大量に抗体が得られ、有害物質除去材の低コスト化を図ることができる。
【００６１】
抗体フィルターに用いられる抗体は鶏卵抗体であることが好ましい。
【００６２】
前記担体に抗体を担持する（固定化する）方法としては、担体をγ−アミノプロピルトリエトキシシランなどを用いてシラン化した後、グルタールアルデヒドなどで担体表面にアルデヒド基を導入し、アルデヒド基と抗体とを共有結合させる方法、未処理の担体を抗体の水溶液中に浸漬してイオン結合により抗体を担体に固定化する方法、特定の官能基を有する担体にアルデヒド基を導入し、アルデヒド基と抗体とを共有結合させる方法、特定の官能基を有する担体に抗体をイオン結合させる方法、特定の官能基を有するポリマーで担体をコーティングした後にアルデヒド基を導入し、アルデヒド基と抗体とを共有結合させる方法をあげることができる。
【００６３】
ここで、前記の特定の官能基としては、ＮＨＲ基（ＲはＨ以外のメチル、エチル、プロピル、ブチルのうちいずれかのアルキル基）、ＮＨ2基、Ｃ6Ｈ5ＮＨ2基、ＣＨＯ基、ＣＯＯＨ基、ＯＨ基を挙げることができる。
【００６４】
また、前記担体表面の官能基を、ＢＭＰＡ（N-β-Maleimidopropionic acid）などを用いて他の官能基に変換した後、その官能基と抗体とを共有結合させる方法もある（ＢＭＰＡではＳＨ基がＣＯＯＨ基に変換される）。
【００６５】
更に、前記抗体のＦｃの部分に選択的に結合する分子（Ｆｃレセプター、プロテインＡ／Ｇなど）を担体表面に導入し、それに抗体のＦｃを結合させる方法もある。この場合、有害物質を捕捉するＦａｂが担体に対して外向きになり、Ｆａｂへの有害物質の接触確率が高くなるので、効率よく有害物質を捕捉することができる。
【００６６】
前記抗体は、リンカーを介して担体に担持されていてもよい。この場合、担体上での抗体の自由度が高くなり、有害物質への接近が容易となるので、高い除去性能を得ることができる。リンカーとしては、二価以上のクロスリンク試薬を挙げることができ、具体的にはマレイミド、ＮＨＳ（N-Hydroxysuccinimidyl）エステル、イミドエステル、ＥＤＣ（1-Ethyl-3-[3-dimethylaminopropyl]carbodiimido）、ＰＭＰＩ（N-[p-Maleimidophenyl]isocyanate）があり、標的官能基（ＳＨ基、ＮＨ2基、ＣＯＯＨ基、ＯＨ基）に選択的なものと非選択的なものとがある。また、クロスリンク間の距離（スペースアーム）もクロスリンク試薬ごとに異なっており、目的の抗体に応じて０．１ｎｍ〜３．５ｎｍ程度の範囲で選択することができる。有害物質を効率的に捕捉するという観点からは、リンカーとして抗体のＦｃに結合するものが好ましい。
リンカーを導入する方法としては、抗体にリンカーを結合させておき、それを更に抗体に結合する方法、担体にリンカーを結合させておき、担体上のリンカーに抗体を結合させる方法のいずれも可能である。
【００６７】
また、本発明の空気清浄機には、紫外線光源や送風部に電気を供給する電源回路、モータ制御部、紫外線光源の電圧を変換可能な変圧器などが設けられていてもよい。また、ケース側面に、電源スイッチ、送風部から送風される空気の流量を調整する風量調節部などが設けられていてもよい。
【００６８】
また、本発明の空気清浄機は、雰囲気中の有機物質の量を検出するセンサ部を有していてもよい。該センサ部で検出する臭気としては、例えば、人体からの体臭や口臭、アルコール物質や、愛玩動物の糞尿から生じた有機物質などが上げられる。また、センサ部は、臭気に限定されず、例えば、ダニなどのハウスダスト、塵埃、花粉を検出することもできる。さらに紫外線光源と送風部との少なくとも一方に信号の入出力が可能な状態で接続された駆動制御部とを設け、センサ部での検出信号を駆動制御部に出力する。駆動制御部は、有機物質の検出信号に基づいて紫外線光源と送風部との少なくとも一方を制御することができる。紫外線光源を制御する場合には、照射する光の量や、光を照射する時間を制御することができる。また、紫外線光源の点灯を間欠運転に設定することや、紫外線光源からの照射を終了するタイマー機能を有していてもよい。送風部を制御する場合には、送風する空気の量や、送風する時間を制御することができる。また、本発明の空気清浄機は、送風部の駆動を間欠運転に設定することや、送風を終了するタイマー機能を有していてもよい。
【００６９】
本発明にかかる空気清浄機は、病院、学校、幼稚園、公共施設、待合室、飛行機、電車などの室内に設置することができる。例えば、病院の床頭台に設置することができる。また、空調システムに取り付けて使用することも可能である。
また、本発明にかかる空気清浄機は、有機物質の消臭などの機能とともに、マイナスイオンや除菌イオン、オゾンを発生、供給する機能を兼ね備えていてもよい。
【実施例】
【００７０】
以下に実施例を挙げて本発明をさらに具体的に説明する。以下の実施例は本発明の趣旨から逸脱しない限り適宜変更することができる。従って、本発明の範囲は以下の具体例に制限されるものではない。
＜空気清浄装置例＞
図1、図２に示す概略図で表される空気清浄装置を使用した。フィルター送り出し部１には、光触媒フィルターを設置し、フィルター送り出し部２には、抗体フィルターを設置した。移動部５の両端には、ガイド用のゴムローラーが設置してあり、移動部とガイドローラー部がともに電動式の多関節アームを使用して、図1から図２へ移動可能な機構とした。図２の状態になった際は、アームは伸びきり、空気の流れには、影響のないように設置した。
【００７１】
＜抗体フィルター作製＞
（Ｎ−１）
セルロースアセテート（アルドリッチ製、全置換度２．４、数平均分子量３万）のアセトン：水（９７：３）溶液（２５質量％）を６０℃に加温し、直径０．１ｍｍのノズルから、紡速５００ｍ／ｍの速度で空気とともに噴出させ不織布を形成し膜厚１ｍｍの不織布Ｎ−１を得た。紡糸筒はヒーターで１００℃に加温した。ＳＥＭで平均繊維径を測定したところ、８μｍであった。
【００７２】
（抗体の固定化）
抗原を投与したニワトリが産んだ免疫卵を精製して作製したインフルエンザウイルス抗体（IｇＹ抗体）をリン酸緩衝生理食塩水（ＰＢＳ）に溶解させ、抗体濃度１００ｐｐｍになるように調製した。調製した液に前記Ｎ−１のサンプルを室温で１６〜２４時間浸漬させ、繊維表面に抗体を付与させた。得られた試料を２５℃２０％ＲＨの環境下で２４時間静置し、次に２５℃９０％ＲＨの環境下で２４時間静置した。この操作を交互に３回ずつ、合計６条件の間で繰返した。
【００７３】
＜光触媒フィルターの作製＞
ポリエステル／アクリル系からなる線径２０μ、膜厚７ｍｍの不織布に光触媒コーティング剤（ＴＫＣ−３０４：テイカ製）を１ｍ２あたり７．５ｇとなるよう担持させ、１００℃で３分乾燥させ光触媒フィルターを作製した。
【００７４】
＜空気清浄機へのフィルター配置および評価＞
光触媒および抗体フィルターに枠を作製し、下記に示すとおりフィルターを装着し、抗体フィルターＮ−１を空気の流れの最下流に配置し、上流側に光触媒、最上流の光触媒フィルターの下流に２５４ｎｍに発光ピークを有する紫外線を効率よく放射する冷陰極管を配置した。送風部として最下流に軸流ファン３機配置した。
【００７５】
＜フィルター条件１＞  抗体フィルターＮ−１  および  冷陰極管をはさんで光触媒フィルター1対を配置した空気清浄機
＜フィルター条件２＞  抗体フィルターＮ−１  および  冷陰極管をはさんで光触媒フィルター1対、下流側の光触媒フィルター側にさらにもう一枚の光触媒フィルターを配置した空気清浄機
＜フィルター条件３＞  抗体フィルターＮ−１  および  冷陰極管をはさんで光触媒フィルター1対、下流側の光触媒フィルター側にさらに３枚の光触媒フィルターを配置した空気清浄機
【００７６】
（消臭効果評価）
空気清浄機の、消臭効果をアンモニア濃度で評価した。試験を行う閉ざされた空間（０．２ｍ３）初期アンモニア（ＮＨ3）濃度を１０ｐｐｍに調節した後、空気清浄機を駆動し、１５分後のアンモニア濃度を検知管にて測定した。
（抗体フィルターでのＵＶ強度評価）
浜松フォトニクス社製のＵＶ−パワーメーター（Ｃ８０２６／Ｈ８０２５−２５４）により測定した。
【００７７】
（ウイルス不活性化効率評価）
同一環境下で、前記条件の空気清浄機を２週間運転した後、それぞれの抗体フィルターのウイルス不活性化評価を実施した。
供試ウイルス液は精製インフルエンザウイルスをＰＢＳで１０倍希釈したものを使用した。前記各サンプルを５ｃｍ角に切り、ウイルス噴霧試験装置の中央に取り付け固定した。上流側に設置したネブライザーに供試ウイルス液を入れ、下流側にウイルス回収用装置を取り付けた。エアーコンプレッサーから圧縮空気を送り、ネブライザーの噴霧口から供試ウイルスを噴霧した。マスク下流側には、ゼラチンフィルターを設置し、１０Ｌ／分の吸引流量で５分間試験装置内空気を吸引し、通過ウイルスミストを捕集した。
試験後、ウイルスを捕集したゼラチンフィルターを回収し、ＭＤＣＫ細胞を用いたＴＣＩＤ５０法（50%細胞感染量測定法）により、サンプル通過後のウイルス感染価を求めた。サンプル有り無しでのゼラチンフィルターのウイルス感染価の比較から、各サンプルのウイルスの一過性除去率を算出した。
【００７８】
【表１】
0005204456.tif 000002
【００７９】
上記の結果より本発明の空気清浄機においては紫外線による抗体フィルターへの影響が少なく、ウイルスの除去効率も高いことが分かる。
【図面の簡単な説明】
【００８０】
【図１】本発明の空気清浄機の例の概略を示す図である。
【図２】本発明の空気清浄機の例（図１と同一の例における下流側フィルターの殺菌時）の概略を示す図である。
【図３】本発明の空気清浄機の制御系例のブロック図である。
【符号の説明】
【００８１】
１．フィルター送り出し部１
２．フィルター巻取り部１
３．フィルター送り出し部２
４．フィルター巻取り部２
５．移動部
６．送風部（排気ファン）
７．ガイド
８．紫外線光源
９．空気の流れ
【図１】
0005204456.tif 000003
【図２】
0005204456.tif 000004
【図３】
0005204456.tif 000005